(57)【要約】【課題】起伏式ジブクレーンのワイヤリング方法に関し、水平引込ドラムと起伏ドラムの両ドラムへワイヤリングする際、手作業を廃止し、駆動源を用い十分な張力を掛けながら機械巻きの可能なワイヤリング方法を提供することを目的とする。【解決手段】起伏ドラムと水平引込ドラムに設けるブレーキ手段と、前記２つのドラム間の回転を接続又は遮断するクラッチ手段を備えるワイヤ巻取り装置を用い、起伏ワイヤをジブ先端に固定し、巻上ワイヤをフックシーブに通して水平引込ドラムに固定した後、起伏ドラムをブレーキ手段で固定し、クラッチ手段で起伏ドラムと巻上ドラムを遮断し、水平引込ドラムに巻上ワイヤを起伏ワイヤの巻取り方向とは反対に巻取る。【選択図】  図１
2007099522.tif 000002
【特許請求の範囲】
【請求項１】
ジブを起伏させるために用いる起伏ワイヤと、吊荷を昇降させる巻上ワイヤの２本のワイヤを有し、軸受と、該軸受に支承され起伏ワイヤの巻かれる起伏ドラムと、該起伏ドラムに連設し巻上ワイヤの巻かれる水平引込ドラムと、前記２つのドラムの少なくとも一方に設けるブレーキ手段と、前記２つのドラム間の回転を接続又は遮断するクラッチ手段および、前記ドラムを回転させるひとつの駆動手段とを備えるワイヤ巻取り装置を用いる起伏式ジブクレーンの組み立て時の起伏ワイヤと巻上ワイヤのクレーンへの配置を以下の手順で行なう起伏式ジブクレーンのワイヤリング方法、
（１）駆動手段を作動させ起伏ドラムに起伏ワイヤを巻き、ガントリー上部シーブを通してジブ先端に固定し、駆動手段よって起伏ドラムを回転させ起伏ワイヤを巻き込み、ジブを任意の位置まで起こす、
（２）巻上ドラムから繰り出した巻上ワイヤを、ジブを介して吊荷を吊るフックシーブに通して水平引込ドラムに固定する、
（３）起伏ドラムをブレーキ手段によって固定し、クラッチ手段によって起伏ドラムと巻上ドラムを遮断する、
（４）駆動装置を作動させて水平引込ドラムにジブ角度に相当する長さの巻上ワイヤを、起伏ドラムに巻かれる起伏ワイヤの巻取り方向とは反対に巻取る、
（５）クラッチ手段によって起伏ドラムと巻上ドラムを接続し水平引込ドラムと起伏ドラムの共回転を可能とし、ブレーキ手段を開放する。
【発明の詳細な説明】
【技術分野】
【０００１】
本発明は、起伏式ジブクレーンのワイヤリング方法に関する。
【背景技術】
【０００２】
起伏式ジブクレーンにおいて、ジブを起伏させた際吊り荷の高さを一定に保つために、吊り荷用の巻上ワイヤの一端を巻く水平引込ドラムを設け、該水平引込ドラムと、ジブを起伏させる起伏ワイヤの巻かれる起伏ドラムが一体形成され且つ、起伏ワイヤと巻上ワイヤを夫々のドラムへ反対巻き（一方を巻き込む方向に巻き、他方を繰り出す方向に巻く）にしていた。これによって、例えば、ジブの起しの際には、起伏ワイヤの巻取りと同時に巻上ワイヤが繰り出され、吊り荷の下降によって吊り荷の実質吊り高さをある程度一定に保つ構造になされていた。しかし、クレーンにワイヤリングを行う際には、水平ドラムと起伏ドラムの夫々へドラム駆動手段を用いて互いに反対にワイヤを巻くことはできず、どちらか一方のドラムに駆動手段を用いてワイヤを巻いた後、他方のドラムには重いワイヤを手作業で巻かざるを得ないのであった。
【特許文献１】特開昭５８−１２２２８６号公報
【発明の開示】
【発明が解決しようとする課題】
【０００３】
本発明は、前記実状に鑑み、起伏式ジブクレーンのワイヤリング方法において、水平引込ドラムと起伏ドラムの両ドラムへワイヤリングする際、手作業を廃止し、駆動源を用い十分な張力を掛けながら機械巻きの可能なワイヤリング方法を提供することを目的とする。
【課題を解決するための手段】
【０００４】
前記の目的を達成するために本発明に係る起伏式ジブクレーンのワイヤリング方法は、ジブを起伏させるために用いる起伏ワイヤと、吊荷を昇降させる巻上ワイヤの２本のワイヤを有し、軸受と、該軸受に支承され起伏ワイヤの巻かれる起伏ドラムと、該起伏ドラムに連設し巻上ワイヤの巻かれる水平引込ドラムと、前記２つのドラムの少なくとも一方に設けるブレーキ手段と、前記２つのドラム間の回転を接続又は遮断するクラッチ手段および、前記ドラムを回転させるひとつの駆動手段とを備えるワイヤ巻取り装置を用いる起伏式ジブクレーンの組み立て時の起伏ワイヤと巻上ワイヤのクレーンへの配置を以下の手順で行なうことを特徴とする。
（１）駆動手段を作動させ起伏ドラムに起伏ワイヤを巻き、ガントリー上部シーブを通してジブ先端に固定し、駆動手段よって起伏ドラムを回転させ起伏ワイヤを巻き込み、ジブを任意の位置まで起こす、
（２）巻上ドラムから繰り出した巻上ワイヤを、ジブを介して吊荷を吊るフックシーブに通して水平引込ドラムに固定する、
（３）起伏ドラムをブレーキ手段によって固定し、クラッチ手段によって起伏ドラムと巻上ドラムを遮断する、
（４）駆動装置を作動させて水平引込ドラムにジブ角度に相当する長さの巻上ワイヤを、起伏ドラムに巻かれる起伏ワイヤの巻取り方向とは反対に巻取る、
（５）クラッチ手段によって起伏ドラムと巻上ドラムを接続し水平引込ドラムと起伏ドラムの共回転を可能とし、ブレーキ手段を開放する。
【発明の効果】
【０００５】
以上の如く構成した本発明によれば、水平引込ドラム１５へ巻上ワイヤ５を巻き取る際の手作業が無くなり作業が安全になる。また、駆動装置１７を用いるので十分な張力を与えた状態で巻上ワイヤ５を水平引込ドラム１５に巻き取ることができ、乱巻の原因を無くすことができる。
【発明を実施するための最良の形態】
【０００６】
図１は、ジブが起伏するクレーンの斜視図であり、定格荷重が比較的小さい小型のクレーンの場合について説明する。図２は、ワイヤ巻取り装置１８を示す斜視図である。
フレーム１には、一端をフレーム１へ起伏自在に固定すると共に他端にジブ先端シーブ２の取り付けられたジブ３と、下部がフレーム１に固定され上部に複数のシーブ６が取り付けられた門型のガントリー８と、吊り荷を吊り上げる巻上装置１３と、ジブ３を起伏させると共に吊り荷を水平方向へ一定に保つワイヤ巻取り装置１８とが設けられている。
巻上装置１３は、巻上ワイヤ５の巻かれる巻上ドラムと、該巻上ドラムを駆動させるひとつの駆動手段と、吊り荷の落下を防ぐブレーキから構成されている。  ワイヤ巻取り装置１８は起伏ワイヤ７の巻かれる起伏ドラム１４と、該起伏ドラム１４に連設し巻上ワイヤ５の巻かれる水平引込ドラム１５と、前記起伏ドラムに設けるブレーキ手段２９と、前記２つのドラムを駆動させるひとつの駆動手段１７とから構成されている。
【０００７】
次にワイヤの配置を説明すると、巻上ワイヤ５は片端を巻上装置１３の巻上ドラムに固定し、ガントリー上部シーブ６、ジブ先端シーブ２、フックシーブ４、ジブ先端シーブ２、ガントリー上部シーブ６、を通って水平引込ドラム１５に固定される。また、起伏ワイヤ７は片端を起伏ドラム１４に固定し、ガントリー上部シーブ６を通ってジブ先端に固定される。
【０００８】
図２を用いてワイヤ巻取り装置について詳細に説明する。
ワイヤ巻取り装置１８は、ひとつの回転軸３３が一端を軸受２０で他端を減速機２５で支承され、回転軸３３の軸上には両端に夫々２つのフランジを有する起伏ドラム１４と水平引込ドラム１５が連設して設けられている。減速機２５は軸受の役目をすると共に、前記２つのドラムの駆動用モータ２６と該モータ２６の停止用ブレーキ２７と共に駆動手段１７を構成している。
起伏ワイヤ７の巻かれる起伏ドラム１４は、回転軸３３に対して回転自在となされ、両端にフランジ２１，２８を備えている。一方のフランジ２８は軸受２０側に備えられ、起伏ドラム１４の回転を止めるブレーキ手段２９のブレーキディスクの役目もなすものである。他方のフランジ２１は水平引込ドラムに連設されており後述する水平引込ドラムのフランジ２２と共にクラッチ手段を構成するものである。
水平引込ドラム１５は回転軸３３に固着されモータ２６の駆動と共に減速機２５を介して回転し、起伏ドラム側のフランジ２２には起伏ドラムのフランジ２１に連通する同軸の穴２３・２３が設けられている。
この２つのフランジ２１・２２に設けられた穴２３・２３にピン２４を差し込むことによって、水平引込ドラム１５の回転力を起伏ドラム１４に伝達し、ピン２４を抜き取ることによって回転力を＝断するクラッチ手段３２を構成するものである。
起伏ドラム１４と水平引込ドラム１５は同軸になされており、クラッチ手段３２の作用によって、一体回転又は単独回転を可能にしている。このことは、ブレーキ手段２９を作動させ起伏ドラム１４の回転を止めた状態で、ピン２４を抜き取ることによって水平引込ドラム１５のみ回転させることができるのである。
【０００９】
前記ワイヤ巻取り装置１８を備えるクレーンの組立時におけるワイヤリングの手順を説明する。
（１）フレーム１にジブ３、ガントリー８、巻上装置１３、ワイヤ巻取り装置１８を取り付け、ジブ３は別の組立用クレーンにて支えるか、または図示しないジブ支え台の上に置く。
（２）駆動手段１７を作動させ起伏ドラム１４に起伏ワイヤ７を巻き、ガントリー上部シーブ６を通してジブ先端に固定する。駆動手段１７よって起伏ドラム１４を回転させ起伏ワイヤ７を巻き込み、ジブ３を任意の位置まで起こし、不要になった組立用クレーンの玉掛けをはずす。
（３）巻上装置１３の巻上ドラム９から繰り出した巻上ワイヤ５を、ガントリー上部シーブ６、ジブ先端シーブ２、フックシーブ４、ジブ先端シーブ２、ガントリー上部シーブ６を通して水平引込ドラム１５に固定する。
（４）起伏ドラム１４をブレーキ手段２９によって固定し、ピン２４を穴２３・２３から抜き取る。
（５）駆動装置１７を作動させて水平引込ドラム１５にジブ角度（高さ）に相当する長さの巻上ワイヤ５を巻取る。この時、水平引込ドラム１５に巻かれる巻上ワイヤ５と起伏ドラム１４に巻かれる起伏ワイヤ７の巻取り方向は反対にする。
（６）穴２３・２３を合せ、ピン２４を穴２３・２３に差し込み水平引込ドラム１５と起伏ドラム１４の共回転を可能とし、ブレーキ手段２９を開放しワイヤリングが終了する。
【００１０】
この状態でクレーン作業が可能となり、駆動装置１７によって、起伏ドラム１４を起伏ワイヤ７の巻き込まれる方向に回転させると、水平引込ドラム１５に巻かれた巻上ワイヤ５は繰り出され、ジブ３が起きながら吊り荷を相対的に下げることになる。
【００１１】
ワイヤ巻取り装置の変形例としては、起伏ドラムと水平引込ドラムの回転軸を並列に２本となして巻胴の長さを十分取れるようにしてもよい。また、クラッチ手段もピンと穴とから構成される他に、電磁クラッチ、キー、爪クラッチなどを使用してもよい。
【図面の簡単な説明】
【００１２】
【図１】起伏式ジブクレーンの斜視図。
【図２】ワイヤ巻取り装置の斜視図。
【符号の説明】
【００１３】
３    ジブ
５    巻上ワイヤ
７    起伏ワイヤ
１４    起伏ドラム
１５    水平引込ドラム
１７    駆動手段
１８    ワイヤ巻取り装置
２０    軸受
２９    ブレーキ手段
３２    クラッチ手段
【図１】
2007099522.tif 000003
【図２】
2007099522.tif 000004